(57)【特許請求の範囲】
【請求項１】
一対の縦桟の間に設けられ、壁面上に後付けされる機能パネルを保持する保持部材であって、
前記一対の縦桟間の前記壁面に固定される壁面固定部と、
前記壁面固定部の両端部に連設され前記一対の縦桟の向かいあう内側面に固定される縦桟固定部と、
前記縦桟固定部の端部に連設されて前記機能パネルを保持するパネル保持部とを備えていることを特徴とする保持部材。
【請求項２】
請求項１において、
バネ性を有する鋼材からなり、
前記縦桟固定部は、前記壁面固定部となす折曲角部の角度が鈍角になるよう折り曲げ形成され、且つ前記一対の縦桟の間に取り付けられた状態では、前記折曲角部が略直角になるよう形成されていることを特徴とする保持部材。
【請求項３】
請求項１または請求項２において、
前記パネル保持部は、前記縦桟固定部の端部に連設され、前記一対の縦桟の向かいあう内方向に突出する形で形成され、前記機能パネルの裏面に設けられた鉤状部材が引掛けられるよう構成されていることを特徴とする保持部材。
【発明の詳細な説明】
【技術分野】
【０００１】
本発明は、壁面上に設けられた一対の縦桟の間に設けられ、該壁面に後付けされる機能パネルを保持する保持部材に関する。
【背景技術】
【０００２】
従来より、パネル体を保持する保持部材やパネル体を保持する構造は、種々提案されており、例えば、下記特許文献１が挙げられる。
【０００３】
下記特許文献１には水平片と垂直片とからなる断面Ｌ字状の横桟の水平片を天井面及び床面に固着し、上下両横桟の間には縦桟を配置し、縦桟の壁材取付面が横桟の垂直片とほぼ同一面状に揃うように連結金具によって連結させた壁材取付装置が開示されている。
そしてここに記載の縦桟は、壁材が取り付けられる前面には連結金具が連結されるとともに、縦桟の背面側には支持具が取り付けられ、その支持具によって建物躯体の壁面に縦桟を支持させている。
【先行技術文献】
【特許文献】
【０００４】
【特許文献１】特開平１１−２００５９３号公報
【発明の概要】
【発明が解決しようとする課題】
【０００５】
上述のようにパネル体を床面に対して垂直に取り付けることは難しいため、施工用の取付部材が複数必要となり、このように取付部材が複数必要になると施工手順も複雑になってしまう。
【０００６】
また近年、提案されている住居内の調湿機能や脱臭機能等を有した機能パネルにおいては、室内の空気を循環させるための送風路等の機能部が前板の背面側に突出して設けられ、既存の壁面を壊さずに壁面上に後付けされるものがみられる。この場合、スペーサー的な役割をする一対の縦桟を壁面に設け、その間に機能パネルの機能部が収まるように取り付けられる。
しかしながら、一対の長尺の縦桟を等間隔に空けて互いが平行になるように取り付けるのは、大工等の施工業者でないと施工が難しい。
さらに縦桟を直接壁面に固着する場合は、壁面と縦桟との間に浮きが生じやすいことも問題となる。
【０００７】
本発明は、上記実情に鑑みてなされたものであり、既存の壁面上に一対の縦桟を略等間隔に空けて取り付けることができ、機能パネルを収まりよく保持することができる保持部材を提供することを目的としている。
【課題を解決するための手段】
【０００８】
上記目的を達成するために、本発明に係る保持部材は、一対の縦桟の間に設けられ、壁面上に後付けされる機能パネルを保持する保持部材であって、前記一対の縦桟間の前記壁面に固定される壁面固定部と、前記壁面固定部の両端部に連設され前記一対の縦桟の向かいあう内側面に固定される縦桟固定部と、前記縦桟固定部の端部に連設されて前記機能パネルを保持するパネル保持部とを備えていることを特徴とする。
【０００９】
また本発明において、バネ性を有する鋼材からなり、前記縦桟固定部は、前記壁面固定部となす折曲角部の角度が鈍角になるよう折り曲げ形成され、且つ前記一対の縦桟の間に取り付けられた状態では、前記折曲角部が略直角になるよう形成されているものとしてもよい。
【００１０】
さらに本発明において、前記パネル保持部は、前記縦桟固定部の端部に連設され、前記一対の縦桟の向かいあう内方向に突出する形で形成され、前記機能パネルの裏面に設けられた鉤状部材が引掛けられるよう構成されているものとしてもよい。
【発明の効果】
【００１１】
本発明に係る保持部材によれば、既存の壁面上に一対の縦桟を略等間隔に空けて取り付けることができ、機能パネルを収まりよく保持することができる。
【図面の簡単な説明】
【００１２】
【図１】本発明の一実施形態に係る保持部材の取付状態を説明するための模式的斜視図である。
【図２】（ａ）〜（ｃ）は同保持部材及び同保持部材によって壁面に固定される一対の縦桟の施工手順を説明するための模式的断面図である。
【図３】同保持部材によって保持される機能パネルの施工過程を説明するための模式的斜視図である。
【図４】同保持部材によって保持される機能パネルの施工完了状態を示す模式的斜視図である。
【発明を実施するための形態】
【００１３】
以下に本発明の実施の形態について、図面に基づいて説明する。
本実施形態に係る保持部材１は、一対の縦桟５，５の間に設けられ、壁面６上に後付けされる機能パネル１０を収まりよく保持できるよう構成されている。
保持部材１は、一対の縦桟５，５間の壁面６に固定される壁面固定部２と、壁面固定部２の両端部に連設され一対の縦桟５，５の向かいあう内側面５０に固定される縦桟固定部３，３と、縦桟固定部３，３の端部に連設され、機能パネル１０を保持するパネル保持部４，４とを備えている。
【００１４】
保持部材１によって保持される機能パネル１０は、壁面６に沿って鉛直に立てて設置され、縦長の薄型矩形状に形成されている。
機能パネル１０は、排気口１３と吸気口１４とが形成された前板１１と、前板１１の背面側に突出して設けられる機能部１２とを備えている。
前板１１は、保持部材１による取付状態において機能部１２を覆い隠すように機能部１２の前面よりも大きく形成されている。
前板１１の上端部側には排気口１３が設けられており、これと離間して下端部側には吸気口１４が設けられている。排気口１３と吸気口１４との間の内部空間を連通するように内部送風路（不図示）が設けられており、この内部送風路は前板１１の背面側に設けられた機能部１２内に形成されている。
前板１１の裏面側端部の所定位置には、保持部材１のパネル保持部４に引掛けられる複数の鉤状部材８が設けられている（図３参照）。
【００１５】
機能パネル１０の構成は、特に限定されるものではないが、吸気口１４の背面側にフィルタやシロッコファンが配置されたものとしてもよく、フィルタは、塵埃等の捕捉性や脱臭性を有した活性炭フィルタとしてもよい。また機能部１２に形成された内部送風路内に、送風方向に開口する多数の中空筒状セルの集合体からなるハニカム状構造体を配設し、セル内に調湿材や脱臭剤等の機能性材料を収容したものとしてもよい。
このように調湿性や脱臭性を有したフィルタを配置したり、上述のような機能性材料が収容されたハニカム状構造体を内部送風路内に配設することにより、吸気口１４から取り込んだ室内の空気の調湿、脱臭をすることができる。また調湿、脱臭された空気は排気口１３から排気させることができる。
またシロッコファンは、機能パネル１０の横幅に応じて、左右方向に複数個、設置されており、前方側から吸入した空気を上方に向けて吐出する構成としてもよい。さらに機能パネル１０の上方空間には、シロッコファンなどを駆動制御する制御部が配設されたものとしてもよい。
なお、これらシロッコファン、制御部等への給電は、適宜部位の裏面側に引出した図示しない電源コード等を介してなされる。
【００１６】
壁面６上に取り付けられる縦桟５は、角柱状の木質材などからなり、床面７に対して略垂直に２本設けることにより一対の縦桟５，５が構成されている。
一対の縦桟５，５の長さは機能パネル１０の長手方向の長さに合わせて設定され、また一対の縦桟５，５の間隔は、保持部材１によって機能パネル１０の機能部１２の幅方向の寸法に合わせて設定される。
【００１７】
保持部材１は、バネ性を有する鋼材からなる薄板材を折り曲げ加工して作製される。
壁面固定部２は、一対の縦桟５，５間の壁面６に固定され、一対の縦桟５，５間を連結するように設けられる。これにより、一対の縦桟５，５の間隔を一定に設定することができる。
壁面固定部２の寸法は、機能パネル１０の機能部１２が一対の縦桟５，５の間に収まるように機能部１２の幅方向よりも少し大になるよう設定される（図２（ｃ）参照）。
図１の一部拡大図に示すように壁面固定部２の両端部近傍には固定具挿通孔２０が形成されており、この固定具挿通孔２０にボードアンカー等の固定具２１が挿通され、固定具２１が壁面６に打ち込まれ、壁面６の所定箇所に壁面固定部２が固着される。
ここでは固定具挿通孔２０が２箇所に形成されている例を示しているが、これに限定されるものではなく、保持部材１で機能パネル１０を保持し荷重がかかった状態でも、しっかりと壁面６に保持部材１が固着されるよう固定具２１が設けられる構成であればよい。
【００１８】
縦桟固定部３，３は、壁面固定部２の両端部に連設され、壁面固定部２を挟んで向かいあうように２つの縦桟固定部３，３が形成されている。縦桟固定部３は、壁面固定部２となす折曲角部３０の角度が鈍角になるよう折り曲げ形成されている（図２（ａ）参照）。すなわち壁面６に固定される前の保持部材１の縦桟固定部３は、パネル保持部４側に向かって外方に拡がった状態に形成されている。そしてこの折曲角部３０の角度は、一対の縦桟５，５の間に取り付けられた状態では、後記する力が作用して略直角とされる（図２（ｂ）及び（ｃ）参照）。
【００１９】
縦桟固定部３には、縦桟５の内側面５０にねじなどの固定具３２によって固定されるよう固定具挿通孔３１が設けられている。ここではひとつの縦桟固定部３に固定具挿通孔３１が３箇所形成されている例を示しているが、特に限定されるものではない。要は、縦桟固定部３と縦桟５とが強固な固着関係を維持できるように固定具３２が設けられる構成であればよい。
【００２０】
パネル保持部４，４は、２つの縦桟固定部３の端部のそれぞれに連設され、一対の縦桟５，５の向かいあう内方向に突出する形で折り曲げ形成されており、前板１１の裏面端部に設けられた鉤状部材８が引掛けられるよう構成されている。
縦桟固定部３とパネル保持部４との折曲部分は、図１の一部拡大図に示すように湾曲して折り曲げるようにしてもよい。
【００２１】
機能パネル１０の裏面に設けられる鉤状部材８は、金属材などからなり、図３の拡大図に示すように機能パネル１０の前板１１の裏面に固着される固着部８０と、パネル保持部４に係止される鉤部８１とを備えている。
鉤部８１は、固着部８０から略直交方向に突出して設けられ、上から下に向かって曲がったような鉤状に板状体の一部を切り欠いて形成されている。
従って、機能パネル１０を上に持ち上げ、鉤部８１をパネル保持部４に引掛ければ、機能パネル１０がパネル保持部４に保持された状態とすることができる。
【００２２】
鉤状部材８の機能パネル１０への固着方法は、特に限定されるものではないが、ビス止めまたは溶接などによってなされたものとしてもよい。
また機能パネル１０のパネル保持部４への保持手段は図例のような鉤状部材８に限定されるものでもないが、鉤状部材８をパネル保持部４に引掛けて保持するものとすれば、機能パネル１０の着脱がしやすく、取付施工後も容易に取り外すことができる。
従って、機能パネル１０施工後のメンテナンスがし易い。
【００２３】
なお、ここでは、３つの保持部材１を一対の縦桟５，５間に取り付けた例を示しており、これにあわせて鉤状部材８が機能パネル１０の前板１１の裏面に６つ設けられた例を示している。しかしながら、保持部材１及び鉤状部材８が設けられる個数は図例に限定されるものではなく、機能パネル１０の大きさやその重量等に応じて適宜設けることができる。
以上の構成によれば、保持部材１の壁面固定部２によって長尺の一対の縦桟５，５の既存の壁面６上に略等間隔に空けて互いが略平行に取り付けることができ、一対の縦桟５，５の間に前板１１の背面から突出した機能部１２を収めることができる（図２（ｃ）参照）。従って、機能パネル１０を収まりよくそして見栄えよく壁面６に保持することができる（図４参照）。
【００２４】
次に図を参照しながら、機能パネル１０の取付施工手順の一例についてその概略を説明する。
まず、保持部材１の縦桟固定部３を縦桟５に固定する。具体的には、縦桟固定部３の固定具挿通孔３１に固定具３２を挿通させて縦桟５にねじ固定する。これにより縦桟固定部３の外面側と縦桟５の内側面５０とが接した状態で固着される。ここで縦桟固定部３の縦桟５への取り付け位置は、壁面６に固定するときに壁面固定部２と壁面６との間に若干の隙間（図２（ｂ）の隙間ｄ参照）が形成されるように取り付けることを留意する。
同じ要領で順次保持部材１を一対の縦桟５，５間に計３つ取り付けていく。このとき、保持部材１の縦桟５への取り付け位置は、機能パネル１０に固着された鉤状部材８の取り付け位置に対応するように設定される。
【００２５】
一方、機能パネル１０の前板１１の裏面にはパネル保持部４に鉤部８１が引掛けられるように複数の鉤状部材８を順に固着しておく。
次に壁面６の機能パネル１０の取り付け位置に保持部材１が取り付けられた一対の縦桟５，５をセッティングする（図２（ａ）参照）。このとき、図１に示すように２本の縦桟５，５を立てた状態で床面７上に置き、壁面６に沿わせれば、一対の縦桟５，５が床面７に対して略垂直な状態にセッティングされる。またこのようにセッティングすると縦桟５が壁面６に押し当てられるとともに、縦桟固定部３に内方へ折れ曲がる力がかかるので、壁面固定部２と縦桟固定部３とがなす折曲角部３０の角度が鈍角から略直角状態になる。さらにこの状態において、壁面６と壁面固定部２との間には若干の隙間ｄが生じた状態となる（図２（ｂ）参照）。
【００２６】
そしてこの状態で壁面固定部２の固定具挿通孔２０に固定具２１を挿通させ壁面６に向けて固定具２１を打ち込んでいく（図２（ｃ）参照）。固定具２１を壁面６に打ち込んでいくと壁面固定部２と壁面６との隙間が埋まっていき縦桟固定部３のそれぞれにさらに内方へ力が作用する。このように内方への力が作用するともともと鈍角に形成された折曲角部３０にもとの形状に戻ろうとする復元力が作用する。すなわち、壁面固定部２には、固定具２１によって壁面６へ固定する内方への力が作用するのに抗して、縦桟固定部３には外方への反発力が生じ縦桟５を壁面６に押し付ける力が生じる。
従って、壁面６に縦桟５を取り付ける際に生じやすい浮きが発生せず、保持部材１のバネ性と折曲角部３０の構成によって、縦桟５の壁面側面５１が壁面に押し付けられて壁面６と縦桟５との間に隙間が発生し難くなる。
【００２７】
一対の縦桟５，５を保持部材１によって壁面６に取り付けたら、次に機能パネル１０を略鉛直に立てて（図３参照）上方へ少し持ち上げ、鉤状部材８のそれぞれをパネル保持部４のそれぞれに引掛けた状態で機能パネル１０を下方にスライドさせる。すると図４に示すように既存の壁面６を壊すことなく機能パネル１０を見栄えよく取付施工することができる。
【００２８】
以上のように、保持部材１を用いれば、縦桟固定部３，３に一対の縦桟５，５をそれぞれ固定させた状態で壁面固定部２を壁面６に固定して壁面６に一対の縦桟５，５を設置することができる。
従って、一対の縦桟５，５を別途壁面６に取り付け固定する施工を省くことができる。
また一対の縦桟５，５は直接壁面６に固定されていないので、縦桟５を取り付けるための取付穴が壁面６に形成されないものとすることができる。
さらに保持部材１は、壁面６に固定される壁面固定部２、一対の縦桟５，５に固定される縦桟固定部３，３、機能パネル１０を保持するパネル保持部４，４の大きく３つの役割をひとつの部材でなすことができる。
従って取付部材の部品点数を増加させることなく、一対の長尺の縦桟５，５を等間隔に空けて互いが平行になるように取り付けることができ、機能パネル１０の取り付け施工を上述のように簡易に行うことができる。
【００２９】
なお、本実施形態では、保持部材１によって調湿機能や脱臭機能を備えた機能パネルが保持される例について説明したが、機能パネルの形状や構成等は上述の例に限定されず、前板１１の背面側に機能部を備えたようなパネルの保持部材１として好適に用いられる。
また保持部材１、鉤状部材８の形状や構成等も図例に限定されるものではない。
【符号の説明】
【００３０】
１  保持部材
５  縦桟
６  壁面
１０  機能パネル
２  壁面固定部
５０  内側面
３  縦桟固定部
４  パネル保持部
８  鉤状部材
３０  折曲角部
【図１】
0005394976.tif 000002
【図２】
0005394976.tif 000003
【図３】
0005394976.tif 000004
【図４】
0005394976.tif 000005